(57)【要約】【課題】線径が太い巻線の場合においても、高周波特性を良好にすることができるコモンモードチョークコイルを得る。【解決手段】円環状のボビン３と、ボビン３に内蔵された円環状のコア７と、ボビン３の左右両側にそれぞれ同じ向きに巻きつけられ、巻き始め及び巻き終わりがボビン３の外側部分に位置する巻線１、２と、ボビン３の環状部分の中心を通る垂直な平面上に設けられたＥＩ形の絶縁仕切り板６と、ボビン３の環状部分の外側部分Ｂにおいて、巻線１の巻き始め及び巻き終わりの間に設けられ、かつ垂直方向に設けられた垂直角材、並びにボビン３の環状部分の内側部分Ｃにおいて、巻線２の巻き始め及び巻き終わりの間に設けられ、かつ水平方向に設けられた水平角材を含み、絶縁体から形成された２個のＬ字形の仕切り部材４とを設けた。【選択図】図１
2012059754.tif 000002
【特許請求の範囲】
【請求項１】
縦型タイプのコモンモードチョークコイルであって、
環状部分を塞ぐ面が垂直方向になるように設置された環状のボビンと、
前記ボビンに内蔵された環状のコアと、
前記環状のボビンの水平方向の左右両側にそれぞれ同じ向きに巻きつけられ、巻き始め及び巻き終わりが前記環状のボビンの外側部分に位置する第１及び第２の巻線と、
前記環状のボビンに水平方向から嵌合され、前記第１及び第２の巻線を電気的に絶縁するように、前記環状のボビンの環状部分の中心を通る垂直な平面上に設けられたＥＩ形の絶縁仕切り板と、
前記環状のボビンの環状部分の外側部分において、前記第１の巻線の巻き始め及び巻き終わりを電気的に絶縁するように、前記第１の巻線の巻き始め及び巻き終わりの間に設けられ、前記絶縁仕切り板に平行に接合され、かつ垂直方向に設けられた第１の部材、並びに前記環状のボビンの環状部分の内側部分において、前記第１の巻線の巻き始め及び巻き終わりを電気的に絶縁するように、前記第１の巻線の巻き始め及び巻き終わりの間に設けられ、前記絶縁仕切り板に平行に接合され、かつ水平方向に設けられた第２の部材を含み、絶縁体から形成された第１の仕切り部材と、
前記環状のボビンの環状部分の外側部分において、前記第２の巻線の巻き始め及び巻き終わりを電気的に絶縁するように、前記第２の巻線の巻き始め及び巻き終わりの間に設けられ、前記絶縁仕切り板に平行に接合され、かつ垂直方向に設けられた第３の部材、並びに前記環状のボビンの環状部分の内側部分において、前記第２の巻線の巻き始め及び巻き終わりを電気的に絶縁するように、前記第２の巻線の巻き始め及び巻き終わりの間に設けられ、前記絶縁仕切り板に平行に接合され、かつ水平方向に設けられた第４の部材を含み、絶縁体から形成された第２の仕切り部材と
を備えたことを特徴とするコモンモードチョークコイル。
【請求項２】
前記第１及び第２の仕切り部材は、それぞれＬ字形であり、前記第１及び第３の部材は、それぞれＬ字形の垂直角材であり、かつ前記第２及び第４の部材は、それぞれＬ字形の水平角材である
ことを特徴とする請求項１記載のコモンモードチョークコイル。
【請求項３】
前記第１及び第２の仕切り部材は、それぞれコの字形であり、前記第１及び第３の部材は、それぞれコの字形の両腕の二辺である２本の垂直角材であり、かつ前記第２及び第４の部材は、それぞれコの字形の両腕に挟まれた一辺である水平角材である
ことを特徴とする請求項１記載のコモンモードチョークコイル。
【請求項４】
前記第１及び第２の仕切り部材は、それぞれＳ字形であり、前記第１及び第３の部材は、それぞれＳ字形の両端である２本の垂直角材であり、かつ前記第２及び第４の部材は、それぞれＳ字形の中央部の水平角材である
ことを特徴とする請求項１記載のコモンモードチョークコイル。
【請求項５】
前記第１及び第２の仕切り部材は、それぞれロの字形であり、前記第１及び第３の部材は、それぞれロの字形の対向する二辺である２本の垂直角材であり、かつ前記第２及び第４の部材は、それぞれロの字形の残りの対向する二辺である２本の水平角材である
ことを特徴とする請求項１記載のコモンモードチョークコイル。
【請求項６】
前記水平角材、あるいは水平角材が２本の場合には上側の水平角材は、前記第１又は第２の巻線が水平角材から外れないように、上部の長手方向の絶縁仕切り板側にフック構造を有する
ことを特徴とする請求項２から請求項５までのいずれかに記載のコモンモードチョークコイル。
【請求項７】
前記第１及び第２の仕切り部材は、一体成型された形状であり、前記第１及び第３の部材は、直方体であり、かつ前記第２及び第４の部材は、前記第１及び第２の巻線が巻きついた前記環状のボビンの環状部分全体が充填されたような、２個の半円状の歯車形である
ことを特徴とする請求項１記載のコモンモードチョークコイル。
【請求項８】
前記環状のボビンは、前記第１及び第２の巻線が巻きつく部分が凹部となっている歯車形であり、
前記第１及び第２の仕切り部材は、一体成型された形状であり、前記第１及び第３の部材は、直方体であり、かつ前記第２及び第４の部材は、前記環状のボビンの環状部分全体が充填されたような、２個の半円柱形である
ことを特徴とする請求項１記載のコモンモードチョークコイル。
【請求項９】
前記ＥＩ形の絶縁仕切り板と前記第１及び第２の仕切り部材とは、一体成型されている
ことを特徴とする請求項１から請求項８までのいずれかに記載のコモンモードチョークコイル。
【発明の詳細な説明】
【技術分野】
【０００１】
この発明は、コモンモードチョークコイルに関するもので、特に、高周波特性を良好にできる縦型タイプのコモンモードチョークコイルの構造に関するものである。
【背景技術】
【０００２】
回路基板に実装するコモンモードチョークコイルは、実装面積を小さく抑えることができる縦型タイプが一般的である。しかし、この縦型タイプのコモンモードチョークコイルは、コアの内側部分と外側部分で、巻線の巻き始めと巻き終わりが構造上接近してしまうため、線間容量が大きくなって高周波特性が劣化する。
【０００３】
従来の縦型タイプのコモンモードチョークコイルは、高周波特性を良好にするために、コアの外側部分において、巻線の巻き始めと巻き終わりの間に絶縁体から構成される仕切り板を設けて、巻線の巻き始めと巻き終わりが近接しないようにすることで、線間容量を小さくしている（例えば、特許文献１参照）。
【先行技術文献】
【特許文献】
【０００４】
【特許文献１】特開２００２−１９８２３６号公報（図１等）
【発明の概要】
【発明が解決しようとする課題】
【０００５】
しかしながら、従来の縦型タイプのコモンモードチョークコイルは、コアの内側部分において、巻線の巻き始めと巻き終わりが近接して線間容量が大きくなってしまう可能性があるという問題点があった。
【０００６】
特に、大電流用のコモンモードチョークコイルは、巻線の線径が太く、塑性が大きいので、細い巻線を使用するコモンモードチョークコイルに比べて、コアの内側部分において、巻線の巻き始めと巻き終わりが近接して線間容量が増大しやすく、高周波特性が大きく劣化するという問題点があった。
【０００７】
本発明は、前記のような課題を解決するためになされたものであり、線径が太い巻線の場合においても、高周波特性を良好にすることができるコモンモードチョークコイルを得ることを目的とする。
【課題を解決するための手段】
【０００８】
本発明に係るコモンモードチョークコイルは、縦型タイプのコモンモードチョークコイルであって、環状部分を塞ぐ面が垂直方向になるように設置された環状のボビンと、前記ボビンに内蔵された環状のコアと、前記環状のボビンの水平方向の左右両側にそれぞれ同じ向きに巻きつけられ、巻き始め及び巻き終わりが前記環状のボビンの外側部分に位置する第１及び第２の巻線と、前記環状のボビンに水平方向から嵌合され、前記第１及び第２の巻線を電気的に絶縁するように、前記環状のボビンの環状部分の中心を通る垂直な平面上に設けられたＥＩ形の絶縁仕切り板と、前記環状のボビンの環状部分の外側部分において、前記第１の巻線の巻き始め及び巻き終わりを電気的に絶縁するように、前記第１の巻線の巻き始め及び巻き終わりの間に設けられ、前記絶縁仕切り板に平行に接合され、かつ垂直方向に設けられた第１の部材、並びに前記環状のボビンの環状部分の内側部分において、前記第１の巻線の巻き始め及び巻き終わりを電気的に絶縁するように、前記第１の巻線の巻き始め及び巻き終わりの間に設けられ、前記絶縁仕切り板に平行に接合され、かつ水平方向に設けられた第２の部材を含み、絶縁体から形成された第１の仕切り部材と、前記環状のボビンの環状部分の外側部分において、前記第２の巻線の巻き始め及び巻き終わりを電気的に絶縁するように、前記第２の巻線の巻き始め及び巻き終わりの間に設けられ、前記絶縁仕切り板に平行に接合され、かつ垂直方向に設けられた第３の部材、並びに前記環状のボビンの環状部分の内側部分において、前記第２の巻線の巻き始め及び巻き終わりを電気的に絶縁するように、前記第２の巻線の巻き始め及び巻き終わりの間に設けられ、前記絶縁仕切り板に平行に接合され、かつ水平方向に設けられた第４の部材を含み、絶縁体から形成された第２の仕切り部材とを備えるものである。
【発明の効果】
【０００９】
本発明に係るコモンモードチョークコイルによれば、コアの外側部分に加えて内側部分にも、絶縁体から構成される仕切り部材を設けたことにより、巻線間の線間容量を小さく抑えることができ、また、巻線の線径が太い場合においても高周波特性を良好することができ、このため、高周波のコモンモードのノイズ対策に用いるフェライトコアなどの部品を削減することができる。
【図面の簡単な説明】
【００１０】
【図１】この発明の実施の形態１に係る縦型タイプのコモンモードチョークコイルを示す図である。
【図２】この発明の実施の形態１に係るコモンモードチョークコイルの電気的な等価回路を示す図である。
【図３】この発明の実施の形態１に係るコモンモードチョークコイルと従来例の周波数特性を示す図である。
【図４】この発明の実施の形態２に係るコモンモードチョークコイルを示す図である。
【図５】この発明の実施の形態３に係るコモンモードチョークコイルを示す図である。
【図６】この発明の実施の形態４に係るコモンモードチョークコイルを示す図である。
【図７】この発明の実施の形態５に係るコモンモードチョークコイルを示す図である。
【図８】この発明の実施の形態６に係るコモンモードチョークコイルを示す図である。
【図９】この発明の実施の形態７に係るコモンモードチョークコイルを示す図である。
【図１０】この発明の実施の形態９に係るコモンモードチョークコイルを示す図である。
【発明を実施するための形態】
【００１１】
以下、本発明のコモンモードチョークコイルの好適な実施の形態につき図面を用いて説明する。
【００１２】
実施の形態１．
この発明の実施の形態１に係るコモンモードチョークコイルについて図１から図３までを参照しながら説明する。図１は、この発明の実施の形態１に係る縦型タイプのコモンモードチョークコイルを示す図である。なお、以降では、各図中、同一符号は同一又は相当部分を示す。
【００１３】
図１において、（ａ）はコモンモードチョークコイルの正面を示す図、（ｂ）は（ａ）図のＡ−Ａ’線から右側をみた断面の模式図で、巻線と仕切り部材の位置関係を説明するための断面図、（ｃ）はアルファベットのＬ字形の仕切り部材を示す斜視図、（ｄ）はアルファベットのＥＩ形の絶縁仕切り板を示す平面図である。
【００１４】
この発明の実施の形態１に係る縦型タイプのコモンモードチョークコイルは、巻き始め１ａと巻き終わり１ｂを有する巻線１と、巻き始め２ａと巻き終わり２ｂを有する巻線２と、トロイダル（円環）状で環状部分の断面が長方形のボビン３と、２個のＬ字形の仕切り部材４と、ＥＩ形の絶縁仕切り板６と、ボビン３に内蔵され、トロイダル（円環）状で環状部分の断面が長方形のコア７とが設けられている。
【００１５】
なお、ボビン３、２個の仕切り部材４、及び絶縁仕切り板６は、例えばポリエチレンテレフタレートなどの誘電率の低い絶縁体で形成されている。
【００１６】
図１（ａ）において、２本の巻線１及び２は、ボビン３に内蔵されたコア７に同じ向きに巻きつけられている。すなわち、巻線１がコア７の左側（図上）の半円環に、巻線２が右側（図上）の半円環にそれぞれ同じ向きに巻きつけられている。２本の巻線１及び２は、トロイダル（円環）状のコア７の直径（中心）を通る垂直な平面上に設けられた絶縁仕切り板６によって隔てられている。このＥＩ形の絶縁仕切り板６は、ボビン３の上下２箇所の環状部分を挟むように、垂直（縦）方向に設置された円環状のボビン３に、水平（横）方向から挿入された後から、アルファベットのＥ字形の絶縁仕切り板の開口部を塞ぐように、残りの垂直のアルファベットのＩ字形の絶縁仕切り板を接着剤やネジなどにより、接合されている。
【００１７】
図１（ｂ）において、巻線２は、コア７の円環の外側部分Ｂだけでなく、コア７の円環の内側部分Ｃにおいても、水平（横）角材の幅（Ｗ１）と垂直（縦）角材の幅（Ｗ２）が同じ（Ｗ１＝Ｗ２）である、Ｌ字形の仕切り部材４の垂直角材と水平角材によって、巻き始め２ａと巻き終わり２ｂが、近接しないように一定間隔に隔てられている。また、巻線１も、巻線２と同様に、コア７の外側部分Ｂと内側部分Ｃにおいて、もう１個のＬ字形の仕切り部材４によって、巻き始め１ａと巻き終わり１ｂが、近接しないように一定間隔に隔てられている。なお、巻き始め１ａ、２ａと巻き終わり１ｂ、２ｂは、逆でもよい。
【００１８】
２個のＬ字形の仕切り部材４は、絶縁仕切り板６を挟むように、接着剤やネジなどにより、水平（横）方向で重なるように、絶縁仕切り板６に接合されている。また、この２個の仕切り部材４と絶縁仕切り板６は、同一絶縁体による一体型でもよい。
【００１９】
コア７は、Ｍｎ−Ｚｎ系フェライトコアや、Ｎｉ−Ｚｎ系フェライトコア、またはアモルファスコアなどの磁性体であり、その形状はトロイダル（円環）形、楕円形、長方形などである。また、その断面は、長方形、円形、楕円形などである。
【００２０】
つぎに、この実施の形態１に係るコモンモードチョークコイルの動作について図面を参照しながら説明する。図２は、この発明の実施の形態１に係るコモンモードチョークコイルの電気的な等価回路を示す図である。
【００２１】
コモンモードチョークコイルは、インバータなどの電力変換素子のスイッチングによって生じるコモンモードノイズを抑制するために、特に伝導性ノイズの低周波帯域において大きなノイズ抑制効果を持つが、巻線の線間容量によって高周波帯域のノイズ抑制効果が劣化してしまう。
【００２２】
高周波帯域のノイズ抑制効果を劣化させてしまう原因である線間容量を減らすためには、巻線１、２の巻き始め１ａ、２ａと巻き終わり１ｂ、２ｂのコア７の外側部分Ｂ及び内側部分Ｃが近接しないようにして、外側部分Ｂの線間容量１０ａ、１０ｂ及び内側部分Ｃの線間容量１１ａ、１１ｂを小さくする必要があるが、コモンモードチョークコイルの構造上、これらの線間は近接してしまうため、線間容量は大きくなってしまう。このため、従来コモンモードチョークコイルは、高周波帯域のコモンモードのノイズ抑制効果を持つフェライトコアなどの部品と併用して用いられていることが多い。
【００２３】
この実施の形態１の構成によれば、細線を使用する巻線だけでなく、線径が太い巻線の場合においても、巻線の巻き始めと巻き終わりのコア７の外側部分Ｂだけでなく内側部分Ｃの線間容量を小さくすることができるため、従来よりも全体の線間容量を小さくすることができる。
【００２４】
図３は、この発明の実施の形態１に係るコモンモードチョークコイルと従来例の周波数特性を示す図である。従来例（破線）では、巻線の巻き始めと巻き終わりのコアの外側部分のみを離しており、本実施の形態（実線）では、巻線の巻き始めと巻き終わりのコア７の外側部分Ｂだけでなく内側部分Ｃも近接しないため、図２に示す巻線の巻き始めと巻き終わりのコア７の内側部分Ｃの線間容量１１ａ、１１ｂを小さくできるため、高周波領域のインピーダンスを高くでき、ノイズの抑制効果を改善することができる。このため、高周波帯域のコモンモードのノイズ対策に用いるフェライトコアなどの部品を削減できる。
【００２５】
また、仕切り部材４をＬ字形に構成することにより、絶縁体（誘電体）の体積を小さく抑えているため、コア７の内側に円柱状または角柱状の絶縁体を挿入した場合に比べて、図１（ｂ）中、主に下方に位置する巻線間の誘電率が小さくなり、主に線間容量１１ａ、１１ｂ、１２ａ、１２ｂ、１２ｅ、１２ｆを小さく抑える効果も併せ持っている。
【００２６】
実施の形態２．
この発明の実施の形態２に係る縦型タイプのコモンモードチョークコイルについて図４を参照しながら説明する。図４は、この発明の実施の形態２に係るコモンモードチョークコイルを示す図である。
【００２７】
図４において、（ａ）はコモンモードチョークコイルの正面のＡ−Ａ’線から右側をみた断面の模式図で、巻線と仕切り部材の位置関係を説明するための断面図、（ｂ）はカタカナのコの字形の仕切り部材を示す斜視図である。なお、他の構成は、上記の実施の形態１と同様である。
【００２８】
この実施の形態２では、コア７の円環の内側部分Ｃにおいて、巻線１、２の巻き始め１ａ、２ａと巻き終わり１ｂ、２ｂ間が近接しないようにするため、コの字形の両腕に挟まれた一辺である水平角材の幅（Ｗ１）とコの字形の両腕の二辺である２本の垂直角材の幅（Ｗ２）が同じ（Ｗ１＝Ｗ２）である、コの字形の仕切り部材４を設けている。
【００２９】
このような構成によれば、コア７の円環の外側部分Ｂの表裏２箇所において、コの字形の両腕の二辺である、２本の垂直角材がコア７（巻線１、２）を挟み込む構造となるため、また、コの字形の仕切り部材４の両腕がベースに設けられるため、より機械的に安定した仕切り部材４を得ることができる。
【００３０】
さらに、仕切り部材４をコの字形に構成することにより、絶縁体（誘電体）の体積を小さく抑えているため、コア７の内側に円柱状または角柱状の絶縁体を挿入した場合に比べて、図４（ａ）中、主に下方に位置する巻線間の誘電率が小さくなり、主に線間容量１１ａ、１１ｂ、１２ａ、１２ｂ、１２ｅ、１２ｆを小さく抑える効果も併せ持っている。
【００３１】
実施の形態３．
この発明の実施の形態３に係る縦型タイプのコモンモードチョークコイルについて図５を参照しながら説明する。図５は、この発明の実施の形態３に係るコモンモードチョークコイルを示す図である。
【００３２】
図５において、（ａ）はコモンモードチョークコイルの正面のＡ−Ａ’線から右側をみた断面の模式図で、巻線と仕切り部材の位置関係を説明するための断面図、（ｂ）はアルファベットのＳ字形の仕切り部材を示す斜視図である。なお、他の構成は、上記の実施の形態１と同様である。
【００３３】
この実施の形態３では、コア７の内側部分において、巻線１、２の巻き始め１ａ、２ａと巻き終わり１ｂ、２ｂ間が近接しないようにするため、Ｓ字形の中央部の水平角材の幅（Ｗ１）とＳ字形の両端の２本の垂直角材の幅（Ｗ２）が同じ（Ｗ１＝Ｗ２）である、Ｓ字形の仕切り部材４を設けている。
【００３４】
このような構成によれば、仕切り部材４をＳ字形に構成することにより、絶縁体（誘電体）の体積を小さく抑えているため、コアの内側に円柱状または角柱状の絶縁体を挿入した場合に比べて、図５（ａ）中、主に下方に位置する巻線間の誘電率が小さくなり、主に線間容量１１ａ、１１ｂ、１２ａ、１２ｂ、１２ｅ、１２ｆを小さく抑える効果も併せ持っている。
【００３５】
実施の形態４．
この発明の実施の形態４に係る縦型タイプのコモンモードチョークコイルについて図６を参照しながら説明する。図６は、この発明の実施の形態４に係るコモンモードチョークコイルを示す図である。
【００３６】
図６において、（ａ）はコモンモードチョークコイルの正面のＡ−Ａ’線から右側をみた断面の模式図で、巻線と仕切り部材の位置関係を説明するための断面図、（ｂ）はカタカナのロの字形の仕切り部材を示す斜視図である。なお、他の構成は、上記の実施の形態１と同様である。
【００３７】
この実施の形態４では、コア７の内側部分において、巻線１、２の巻き始め１ａ、２ａと巻き終わり１ｂ、２ｂ間が近接しないようにするため、ロの字形の対向する二辺である２本の水平角材の幅（Ｗ１）とロの字形の残りの対向する二辺である２本の垂直角材の幅（Ｗ２）が同じ（Ｗ１＝Ｗ２）ロの字形の仕切り部材４を設けている。
【００３８】
このような構成によれば、仕切り部材４のコア７の外側部分で巻線１、２を挟みこむ構造となるため、また、ロの字形の仕切り部材４の下側の水平角材がベースに設けられるため、より機械的に安定した仕切り部材４を得ることができる。
【００３９】
ロの字形の仕切り部材４のうち、コの字形の角材をコア７（ボビン３）に対して水平方向から挿入した後から、コの字形の角材の開口部を塞ぐように、残りの垂直角材を接着剤やネジなどにより接合する。
【００４０】
さらに、仕切り部材４をロの字形に構成することにより、絶縁体（誘電体）の体積を小さく抑えているため、コアの内側に円柱状または角柱状の絶縁体を挿入した場合に比べて、図６（ａ）中、主に下方に位置する巻線間の平均誘電率が小さくなり、主に線間容量１１ａ、１１ｂ、１２ａ、１２ｂ、１２ｅ、１２ｆを小さく抑える効果も併せ持っている。
【００４１】
実施の形態５．
この発明の実施の形態５に係る縦型タイプのコモンモードチョークコイルについて図７を参照しながら説明する。図７は、この発明の実施の形態５に係るコモンモードチョークコイルを示す図である。
【００４２】
図７において、（ａ）はコモンモードチョークコイルの正面を示す図、（ｂ）はフック構造を有するアルファベットのＬ字形の仕切り部材を示す斜視図である。なお、他の構成は、上記の実施の形態１と同様である。図７（ｂ）は、同図（ａ）の左側のＬ字形の仕切り部材である。
【００４３】
この実施の形態５では、コア７の内側部分Ｃの上側の巻線１の巻き終わり１ｂが仕切り部材４から外れにくくするために、Ｌ字形の仕切り部材４の水平角材の絶縁仕切り板６側にフック構造４ａを設けている。また、同様に、図７（ａ）の右側のＬ字形の仕切り部材も、コア７の内側部分Ｃの上側の巻線２の巻き終わり２ｂが仕切り部材４から外れにくくするために、同図（ｂ）とは反対側の水平角材の絶縁仕切り板６側にフック構造を設けている。
【００４４】
このような構成によれば、コア７の内側の上側の巻線１、２がより確実に固定されて、巻線１、２が巻き始め１ａ、２ａと巻き終わり１ｂ、２ｂのコア７の内側部分で近接する可能性が低減する。なお、Ｌ字形の仕切り部材４だけでなく、他の実施の形態にも適用することができる。
【００４５】
実施の形態６．
この発明の実施の形態６に係る縦型タイプのコモンモードチョークコイルについて図８を参照しながら説明する。図８は、この発明の実施の形態６に係るコモンモードチョークコイルを示す図である。
【００４６】
図８において、（ａ）はコモンモードチョークコイルの正面を示す図、（ｂ）は（ａ）図のＡ−Ａ’線から右側をみた断面の模式図で、巻線と仕切り部材の位置関係を説明するための断面図、（ｃ）は仕切り部材を示す斜視図である。
【００４７】
この実施の形態６では、仕切り部材４は、コア７の外側部分Ｂでは直方体４ｂとなっており、コア７の内側部分Ｃでは、図８に示すように、内側部分全体が絶縁体で充填されたような、２個の半円状の歯車形４ｃとなっている。この仕切り部材４は、直方体４ｂと２個の歯車形４ｃが２箇所で接着剤やネジなどにより接合されている。
【００４８】
このような構成によれば、隣り合う巻線間の距離を一定にすることができ、隣り合う巻線間の線間容量が最小となる。このため、高周波特性をより良好にすることが可能である。さらに、上記の仕切り部材４を用いることで、隣り合う巻線間の間隔、コア７の内側を通る巻線の上側と下側の距離、及び巻線１、２の巻き始め１ａ、２ａと巻き終わり１ｂ、２ｂの距離を一定にすることができるため、均質な性能をもつコモンモードチョークコイルが容易に得られるようになる。
【００４９】
実施の形態７．
この発明の実施の形態７に係る縦型タイプのコモンモードチョークコイルについて図９を参照しながら説明する。図９は、この発明の実施の形態７に係るコモンモードチョークコイルを示す図である。
【００５０】
図９において、（ａ）はコモンモードチョークコイルの正面を示す図、（ｂ）は（ａ）図のＡ−Ａ’線から右側をみた断面の模式図で、巻線と仕切り部材の位置関係を説明するための断面図、（ｃ）は仕切り部材を示す斜視図である。
【００５１】
この実施の形態７では、ボビン３は、巻線１及び２が巻きつく部分が凹部となっている歯車形である。仕切り部材４は、コア７の外側部分Ｂでは直方体４ｂとなっており、コア７の内側部分Ｃでは、図９に示すように、内側部分全体が絶縁体で充填されたような、２個の半円柱形４ｄとなっている。この仕切り部材４は、直方体４ｂと２個の半円柱形４ｄが２箇所で接着剤やネジなどにより接合されている。
【００５２】
このような構成によれば、隣り合う巻線間の距離を一定にすることができ、隣り合う巻線間の線間容量が最小となる。このため、高周波特性をより良好にすることが可能である。さらに、上記の仕切り部材４を用いることで、隣り合う巻線間の間隔、コア７の内側を通る巻線の上側と下側の距離、及び巻線１、２の巻き始め１ａ、２ａと巻き終わり１ｂ、２ｂの距離を一定にすることができるため、均質な性能をもつコモンモードチョークコイルが容易に得られるようになる。さらに、コモンモードチョークコイルの組み立て時において、仕切り部材４の挿入が比較的容易に行える。
【００５３】
実施の形態８．
この発明の実施の形態８に係る縦型タイプのコモンモードチョークコイルについて説明する。
【００５４】
上記の各実施の形態においては、仕切り部材４と絶縁仕切り板６は別々のものとして説明したが、一体成型したものでもよい。
【００５５】
このような構成によれば、仕切り部材４がより確実にコア７の内側部分Ｃに固定されるため、巻線１、２の巻き始め１ａ、２ａと巻き終わり１ｂ、２ｂのコア７の内側部分Ｃで近接する可能性を低減することができる。
【００５６】
実施の形態９．
この発明の実施の形態９に係る縦型タイプのコモンモードチョークコイルについて図１０を参照しながら説明する。図１０は、この発明の実施の形態９に係るコモンモードチョークコイルを示す図である。この図１０は、コモンモードチョークコイルの正面を示す。
【００５７】
この実施の形態９では、コア７及びボビン３の形状が楕円形となっており、２個の仕切り部材４はフック構造のないＬ字形となっている。
【００５８】
このような構成によれば、巻線数があまり多くなくて、巻線の密な部分による線間容量が問題とならない場合に有効であり、コア７の内側部分Ｃを通る巻線の上側と下側の線間容量がより小さくなって、良好な高周波特性を得ることが可能である。
【００５９】
実施の形態１０．
この発明の実施の形態１０に係る縦型タイプのコモンモードチョークコイルについて説明する。
【００６０】
上記の各実施の形態において、コア７の材質はアモルファスでもよい。アモルファスコアは、フェライトコアに比べて、低周波領域でノイズ抑制効果が高く、高周波領域ではノイズ抑制効果が低いが、この構成によれば、線径が太い巻線においてもコア７の内側部分を通る巻線の上側と下側を離して線間容量を小さくできるため、アモルファスコアを用いても、良好な高周波特性を得ることが可能である。
【００６１】
実施の形態１１．
この発明の実施の形態１１に係る縦型タイプのコモンモードチョークコイルについて説明する。
【００６２】
上記の各実施の形態において、コア７の材質はフェライトでもよい。フェライトコアはアモルファスコアに比べて、低周波領域でノイズ抑制効果が低く、高周波領域ではノイズ抑制効果が高いが、この構成によれば、線径が太い巻線においてもコア７の内側部分を通る巻線の上側と下側を離して線間容量を小さくできるから、フェライトコアを用いると、非常に良好な高周波特性を得ることが可能である。
【符号の説明】
【００６３】
１  巻線、２  巻線、３  ボビン、４  仕切り部材、４ａ  フック構造、４ｂ  仕切り部材の直方体部分、４ｃ  仕切り部材の２個の半円状の歯車形部分、４ｄ  仕切り部材の２個の半円柱形部分、６  絶縁仕切り板、７  コア。
【図１】
2012059754.tif 000003
【図２】
2012059754.tif 000004
【図３】
2012059754.tif 000005
【図４】
2012059754.tif 000006
【図５】
2012059754.tif 000007
【図６】
2012059754.tif 000008
【図７】
2012059754.tif 000009
【図８】
2012059754.tif 000010
【図９】
2012059754.tif 000011
【図１０】
2012059754.tif 000012